(57)【要約】【課題】  広域に渡り設置された多数の通報装置の設置位置情報に関するデータを簡単且つ確実に取得して端末データベース（端末テーブル）を登録可能にする遠隔監視システム、その通報装置および遠隔監視方法を提供する。【解決手段】  電話回線網５０を介して接続された複数の通報装置２０及び監視装置４０で構成され、各通報装置２０は、位置情報取得部２１、異常検出部２２および情報送信部２３を備える。位置情報取得部２１は、位置情報入力手段である、例えばＧＰＳ携帯電話３０からの位置情報を電話回線網５０を介して取得して保存する。情報送信部２３は、この位置情報取得部２１の位置情報（設置場所データ）を該当する通報装置２０の端末識別情報（ＩＤ）と共に電話回線網５０を介して監視装置４０に送信して端末設置場所データベース４２を予め作成する。通報装置２０から異常情報を受信すると、監視装置の表示部４３にその通報装置の設置場所を表示する。【選択図】図１
2008152503.tif 000002
【特許請求の範囲】
【請求項１】
広域に渡り設置され、異常検出部を有する複数の通報装置からの異常情報を離れた場所にある監視装置へ電話通信回線網を介して送信して監視する遠隔監視システムにおいて、
前記複数の通報装置の各通報装置は、前記電話回線網を介して送信される位置情報を取得する位置情報取得部および前記各通報装置の端末識別情報と共に前記取得した位置情報を前記監視装置へ送信する情報送信部を備えることを特徴とする遠隔監視システム。
【請求項２】
前記通報装置に送信される位置情報は、前記複数の通報装置の少なくとも一部に共通使用されるＧＰＳ機能付き携帯電話から送信されることを特徴とする請求項１に記載の遠隔監視システム。
【請求項３】
前記通報装置は時刻管理のためのタイマを備え、該タイマは前記携帯電話から送信される時刻データにより時刻調整されることを特徴とする請求項２に記載の遠隔監視システム。
【請求項４】
前記監視装置は、前記複数の通報装置から送信される前記端末識別情報および前記位置情報を予め登録したデータベースを備えることを特徴とする請求項１、２又は３に記載の遠隔監視システム。
【請求項５】
前記監視装置は、前記通報装置から送信される異常情報を受信すると、前記データベースを参照して該当する通報装置の位置情報を表示する表示部を備えることを特徴とする請求項４に記載の遠隔監視システム。
【請求項６】
広域に渡り設置された複数の設備機器等からの異常を、遠隔地に設けられた監視装置に電話回線網を介して通報して監視するため前記設備機器等の設置場所毎に設けられた遠隔監視システムの通報装置において、
前記設備機器等の異常を検出する異常検出部と、前記設備機器等の設置位置情報を前記電話回線網を介して取得する位置情報取得部と、該位置情報取得で取得した前記位置情報および前記異常検出部で検出した異常情報を前記監視装置へ送信する情報送信部とを備えることを特徴とする遠隔監視システムの通報装置。
【請求項７】
前記異常検出部で検出された異常情報の時刻を管理するタイマを更に備え、該タイマの時刻は前記通信回線から送信される時刻データに基づき調整されることを特徴とする請求項６に記載の遠隔監視システムの通報装置。
【請求項８】
被監視機器の異常を検出するため広域に渡り設置された複数の通報装置と通信回線網を介して接続された遠隔地の監視装置で監視する遠隔監視方法において、
運用に先立ち前記複数の通報装置の各設置場所から前記電話回線網を介して前記設置場所情報を送信するステップと、
該送信された設置場所情報を前記通報装置内のメモリに保存するステップと、
前記メモリに保存された設置場所情報を当該通信装置の端末識別情報と共に前記電話回線網を介して前記監視装置へ送信するステップと、
前記受信した設置場所情報および前記設置場所情報に基づき予め端末設置場所データベースを作成するステップと、
前記通報装置から前記異常情報を受信するとき、前記端末設置場所データベースを参照して該当通報装置の設置場所情報を前記監視装置の表示部に表示するステップとを備えることを特徴とする遠隔監視方法。
【請求項９】
前記電話回線網を介して前記通報装置へ送信される位置情報は、ＧＰＳ機能付き携帯電話により送信されることを特徴とする請求項８に記載の遠隔監視方法。
【請求項１０】
前記ＧＰＳ機能付き携帯電話からの情報に基づき前記各通報装置が内蔵するタイマの時刻調整を行うステップを更に備えることを特徴とする請求項９に記載の遠隔監視方法。
【発明の詳細な説明】
【技術分野】
【０００１】
本発明は、遠隔監視システム、その通報装置および遠隔監視方法に関し、特に電話回線網を介して接続された広域に渡って設置された複数の通報装置を含みＧＰＳ（Global Positioning System）携帯電話を使用して位置データ登録操作を簡略する遠隔監視システム、その方法およびそのためのプログラムに関する。
【背景技術】
【０００２】
広域（即ち、地域的に広い範囲）に配置された例えば１００以上の多数の通知装置を含む監視システムが開発され広く普及している。例えば、ビル管理システムやホームセキュリティ（警備）システムでは、サービス契約した広域にまたがるビルや家屋にセンサ付き通報装置を設置する。そして、斯かる通報装置は電話回線を介して接続されたセンタ（本部）の監視装置に接続されて監視システムが構成される。
【０００３】
斯かる監視システムの各通報装置には、それぞれの位置情報が予め登録されている。そして、これら多数の通報装置の何れかのセンサが異常（例えば、火災、不審者の侵入、内部の機器の故障等）を検知した場合には、電話回線を通じてセンタに設置された監視装置に異常を通知する。そこで、この監視装置のオペレータ（監視者）は、その表示装置（モニタ）等の表示や警報に基づき、異常発生場所を直ちに識別して担当者（又は監視員）の派遣、関連省庁（例えば、最寄の消防署や警察署）への通報を行い、被害を阻止又は最小限にするための迅速な処置を可能にする。
【０００４】
斯かる監視システムにおいて異常の検知に対する迅速な処置を可能にするためには、各通報装置が高信頼性であると共に各通報装置の位置情報が詳細且つ正確であることが重要である。そのためには、各通報装置の詳細且つ正確な設置位置情報を予め入力又は登録しておくことが必須不可欠である。
【０００５】
斯かる技術分野における従来技術は、多くの文献に開示又は提案されている。ビル内に設置された管理対象の設備機器である被監視対象に適用される所在地データを、ＧＰＳ対応の携帯型受信装置で動作させることによりその緯度および経度の測位情報を求めて初期登録する遠隔監視装置に適用される所在地データの簡便且つ効率的な初期登録方法が開示されている（例えば、特許文献１参照。）。また、移動通報端末装置に緊急情報が指示された場合に、緊急通報する緊急用件の種別に基づいて、公衆交換電話網を介して通報受付け端末装置に移動通報端末装置の現在位置（通報位置）を通知する緊急通報システムおよび移動通報端末装置等が開示されている（例えば、特許文献２参照。）。更に、携帯電話回線網に発信可能な発信装置を被管理装置に取り付けて機器のメンテナンス等を行う設備機器の管理方法およびシステムが開示されている（例えば、特許文献３参照。）。
【０００６】
【特許文献１】特開平９‐３２２２６７号公報（第３頁、第１図）
【特許文献２】登録実用新案公報第０４６２５８号（第１０‐１１頁、第１図）
【特許文献３】特開２００４‐２３６１４８号公報（第３‐４頁、第１図）
【発明の開示】
【発明が解決しようとする課題】
【０００７】
しかし、上述の如き従来技術は、次の如き解決するべき課題を有する。先ず第１に、通報端末の設置場所の登録に多大な時間を要し、そのための人件費等によるコストが嵩んだ。第２に、通報端末の場所の設置登録は、操作者の不慣れ又は不注意等による設定ミスが起こり得るので、監視システムの運用上支障をきたすことがあった。また、複数の通報装置を含む遠隔監視システムでは、各通報装置のタイマの時刻設定を個別に行う必要があるという煩わしさがあった。
【０００８】
本発明は、従来技術の斯かる課題に鑑みなされたものであり、斯かる課題を解消又は軽減可能な遠隔監視システム、その通報装置および遠隔監視方法を提供することを目的とする。
【課題を解決するための手段】
【０００９】
本発明による遠隔監視システム、その通報装置および遠隔監視方法は、次の如き特徴的な構成を採用している。
【００１０】
（１）広域に渡り設置され、異常検出部を有する複数の通報装置からの異常情報を離れた場所にある監視装置へ電話通信回線網を介して送信して監視する遠隔監視システムにおいて、
前記複数の通報装置の各通報装置は、前記電話回線網を介して送信される位置情報を取得する位置情報取得部および前記各通報装置の端末識別情報と共に前記取得した位置情報を前記監視装置へ送信する情報送信部を備える遠隔監視システム。
（２）前記通報装置に送信される位置情報は、前記複数の通報装置の少なくとも一部に共通使用されるＧＰＳ機能付き携帯電話から送信される上記（１）の遠隔監視システム。
（３）前記通報装置は時刻管理のためのタイマを備え、該タイマは前記携帯電話から送信される時刻データにより時刻調整される上記（２）の遠隔監視システム。
（４）前記監視装置は、前記複数の通報装置から送信される前記端末識別情報および前記位置情報を予め登録したデータベースを備える上記（１）、（２）又は（３）の遠隔監視システム。
（５）前記監視装置は、前記通報装置から送信される異常情報を受信すると、前記データベースを参照して該当する通報装置の位置情報を表示する表示部を備える上記（４）の遠隔監視システム。
（６）広域に渡り設置された複数の設備機器等からの異常を、遠隔地に設けられた監視装置に電話回線網を介して通報して監視するため前記設備機器等の設置場所毎に設けられた遠隔監視システムの通報装置において、
前記設備機器等の異常を検出する異常検出部と、前記設備機器等の設置位置情報を前記電話回線網を介して取得する位置情報取得部と、該位置情報取得で取得した前記位置情報および前記異常検出部で検出した異常情報を前記監視装置へ送信する情報送信部とを備える遠隔監視システムの通報装置。
（７）前記異常検出部で検出された異常情報の時刻を管理するタイマを更に備え、該タイマの時刻は前記通信回線から送信される時刻データに基づき調整される上記（６）の遠隔監視システムの通報装置。
（８）被監視機器の異常を検出するため広域に渡り設置された複数の通報装置と通信回線網を介して接続された遠隔地の監視装置で監視する遠隔監視方法において、
運用に先立ち前記複数の通報装置の各設置場所から前記電話回線網を介して前記設置場所情報を送信するステップと、
該送信された設置場所情報を前記通報装置内のメモリに保存するステップと、
前記メモリに保存された設置場所情報を当該通信装置の端末識別情報と共に前記電話回線網を介して前記監視装置へ送信するステップと、
前記受信した設置場所情報および前記設置場所情報に基づき予め端末設置場所データベースを作成するステップと、
前記通報装置から前記異常情報を受信するとき、前記端末設置場所データベースを参照して該当通報装置の設置場所情報を前記監視装置の表示部に表示するステップとを備える遠隔監視方法。
（９）前記電話回線網を介して前記通報装置へ送信される位置情報は、ＧＰＳ機能付き携帯電話により送信される上記（８）の遠隔監視方法。
（１０）前記ＧＰＳ機能付き携帯電話からの情報に基づき前記各通報装置が内蔵するタイマの時刻調整を行うステップを更に備える上記（９）の遠隔監視方法。
【発明の効果】
【００１１】
本発明の遠隔監視システム、その通報装置および遠隔監視方法によると、次の如き特有の効果を奏する。即ち、広域に渡り設置された複数の通報装置の位置情報（設置場所情報）が何ら熟練を要することなく、位置情報入力手段である、例えばＧＰＳ機能付き携帯電話により電話回線網を介して簡単且つ正確に設定可能である。また、ＧＰＳ機能付き携帯電話を使用すると時刻情報も含んでいるので、それを使用して多数の通報装置が内蔵するタイマを簡単且つ正確に設定可能である。従って、本発明は分散配置された多数のオフィスビル内の被監視機器等の動作を監視するビル遠隔監視システム等に好適である。
【発明を実施するための最良の形態】
【００１２】
以下、本発明による監視システム、その方法およびそのためのプログラムの好適実施形態の構成および動作を、添付図面を参照して詳細に説明する。
【００１３】
先ず、図１は、本発明による遠隔監視システムの好適実施形態の概略全体構成を示すブロック図である。この遠隔監視システム１０は、複数の通報装置（図１中には１個のみ示す）２０、携帯端末３０、監視装置４０およびこれら複数の通報装置２０、携帯端末３０および監視装置４０を有線又は無線により相互接続する電話回線網５０により構成される。
【００１４】
図１に示す遠隔監視システム１０において、携帯端末３０は、ＧＰＳ機能を備える携帯電話等の携帯端末である。この携帯端末３０は、後述する如く、被監視機器等の位置情報を入力設定するために使用される。装置通報装置２０は、１個以上のセンサが設けられると共に、例えば内蔵されるプログラムの制御下で被監視機器（図示せず）等を監視し、その異常を検出し、異常検出時に電話回線網５０を介して監視装置４０へ通報するように動作するコンピュータ等である。監視装置４０は、電話回線網５０を介して複数の通報装置からの通報を受信し、後述する如き所定の処理を行うように内蔵したプログラムの制御下で動作するコンピュータ等である。
【００１５】
次に、図２は、図１に示す遠隔監視システム１０中の通報装置２０および監視装置４０の具体例の詳細構成を示す機能ブロック図である。
【００１６】
先ず、通報装置２０は、位置情報取得部２１、異常検出部（又はセンサ）２２、情報送信部２３および網制御部２４により構成されている。通報装置２０を構成する各構成部２１〜２４の主要機能を説明する。位置情報取得部２１は、電話回線網５０を介して携帯端末３０から、通報装置２０が監視担当する被監視機器等の位置情報を取得して内部メモリ（図示せず）に保存する。異常検出部２２は、被監視機器等に生じる（又は入力される）１種類以上の異常を検出する。情報送信部２３は、通報装置２０の端末番号と共に位置情報取得部２１が取得した位置情報および異常検出部２２が検出した異常を受けて、これを網制御部２４を介して監視装置４０に送信する。網制御部２４は、電話回線網５０を介して監視装置４０との情報の入出力の制御を行う。
【００１７】
次に、図１に示す遠隔監視システム１０中の監視装置４０は、情報解析部４１、端末設置場所データベース（又はテーブル）４２、表示部４３および網制御部４４により構成されている。この監視装置４０を構成する各校西部４１〜４４の主要機能を説明する。情報解析部４１は、電話回線網５０を介して通報装置２０からの情報を解析し、その位置情報の住所を検索し、端末設置場所データベース４２に入力する。端末設置場所データベース４２は、複数の通報装置２０の端末番号および端末設置場所をデータベース又はテーブルとして登録する。表示部４３は、情報解析部４１および端末設置場所データベース４２からの情報に基づいて、複数の通報装置２０のうち特定の通報装置（例えば、異常を検知した通報装置）に関連する情報を表示する、例えば液晶表示パネル（ＬＣＤ）等の表示装置である。即ち、この表示部４３は、通報装置２０から通報された情報を、端末設置場所データベース（テーブル）４２に登録されている名称に読み替えて表示する。網制御部４４は、電話回線網４４を介する通報装置２０との通信のインタフェースを行う。
【００１８】
次に、図３および図４のフローチャートを参照して本発明による遠隔監視システム１０の好適実施の形態の動作を詳細に説明する。図３は、この遠隔監視システム１０のデータ設定方法乃至手順を示すフローチャートである。他方、図４は、遠隔監視システム１０の運用、即ち監視動作を示すフローチャートである。
【００１９】
先ず、図３を参照して遠隔監視システム１０のシステムデータを自動的に作成するデータ設定手順を説明する。図３のフローチャートは、図１および図２中の携帯電話３０、通報装置２０および監視装置４０間における動作を分けて示している。
【００２０】
このシステムデータの自動作成は、先ずＧＰＳ機能を備えるＧＰＳ携帯電話３０から通報端末２０に電話をする（ステップＡ１）。次に、通報装置２０は、この携帯電話３０から位置情報を取得して保存する（ステップＡ２）。そして、通報装置２０は、網制御部２４および電話回線網５０を介して監視装置４０に端末識別情報（ＩＤ）と共に位置情報（設置場所情報）を送信する（ステップＡ３）。監視装置４０は、通報装置２０から送信された位置情報により端末装置の住所（設置場所）を取得する（ステップＡ４）。最後に、この監視装置４０は、取得した住所を端末設置場所データベース４２にシステムデータとして保存（又は登録）する（ステップＡ５）ことにより、システムデータの作成手順を完了する。
【００２１】
次に、図４のフローチャートを参照して、図１および図２に示す本発明による遠隔監視システム１０の運用動作を説明する。図４のフローチャートには、通報装置２０および監視装置４０間の動作を分けて示している。
【００２２】
先ず、本発明による通報装置２０が担当する被監視機器に異常が発生又は異常入力がある（ステップＢ１）と、通報装置２０のセンサを含む異常検出部２２は、この異常情報を検出する（ステップＢ２）。そこで、通報装置２０の異常送信部２３は、電話回線網５０を介して監視装置４０に異常情報を送信する（ステップＢ３）。この通報装置２０から送信された異常情報は、監視装置４０の情報解析部４１に入力され、端末設置場所データベース（端末テーブル）４２を参照して対応する端末、即ち通報装置２０の住所情報を取得する（ステップＢ４）。最後に、監視装置４０の情報解析部４１の解析結果に基づいてその表示部４３に該当する通報装置２０の住所（設置場所）を表示する（ステップＢ５）。
【００２３】
以上の説明から理解される如く、本発明の遠隔監視システム、その通報装置および遠隔監視方法によると、多数（例えば、１００以上）の通報装置を含む遠隔監視システムであっても、各通報装置の端末設置場所データベースが簡単且つオペレータの入力ミスの影響を受けることなく正確に入力して、監視装置の端末設置場所データベースに自動的に登録可能である。従って、上述した本発明の目的が達成可能である。従って、本発明は、住所（設置場所）入力が必要な多数の通報装置を含む監視システムに適用する場合に特に好適である。
【００２４】
尚、以上の説明は、本発明の好適な実施の形態に基づいて行った。しかし、斯かる実施の形態は、本発明の単なる例示に過ぎず、本発明は斯かる実施の形態のみに限定されるべきでなく、本発明の要旨や精神を逸脱することなく、特定用途に応じて種々の変形変更が可能であること、当業者には容易に理解できよう。
【００２５】
例えば、ＧＰＳ携帯電話の情報には、正確な位置情報と共に時刻情報も含まれている。各通報装置には、時刻管理のためのタイマを内蔵するのが一般的であり、このタイマも初期設定が必要である。このタイマの時刻調整を、上述したＧＰＳ携帯電話からの時刻情報に基づいて行うと、簡単且つ正確なタイマ設定が可能である。そして、多数の通報装置の時刻をＧＰＳに基づき正確に設定することにより遠隔監視システムの一層正確な運用が可能である。尚、タイマおよびその時刻設定自体は、当業者に周知であるので、ここで詳細な説明は省略する。
【図面の簡単な説明】
【００２６】
【図１】本発明による遠隔監視システムの好適な実施の形態を示すシステム構成図である。
【図２】図１中の通報装置および監視装置の具体例の詳細構成を示すブロック図である。
【図３】本発明による遠隔監視システムのデータ設定手順を示すフローチャートである。
【図４】本発明による遠隔監視システムの運用を示すフローチャートである、
【符号の説明】
【００２７】
１０  遠隔監視システム
２０  通報装置
２１  位置情報取得部
２２  異常検出部
２３  情報送信部
３０  携帯電話（ＧＰＳ機能付き）
４０  監視装置
４１  情報解析部
４２  端末設置場所データベース
４３  表示部
５０  電話回線網
【図１】
2008152503.tif 000003
【図２】
2008152503.tif 000004
【図３】
2008152503.tif 000005
【図４】
2008152503.tif 000006